(57)【特許請求の範囲】
【請求項１】
蚊取線香の先端に被着される蚊取線香用着火カバーであって、
易燃性及び熱収縮性を有するフイルムで筒状に形成されると共に一周壁にスリットが形成されており、
前記フイルムが、ポリエチレン、ポリプロピレン、ポリビニルアルコール、ポリビニルアセテートよりなる群の少なくとも１つを含む熱軟化性樹脂フイルムであることを特徴とする蚊取線香用着火カバー。
【請求項２】
蚊取線香の先端に被着される蚊取線香用着火カバーであって、
易燃性及び熱収縮性を有するフイルムで断面が略コ字形に形成されたており、
前記フイルムが、ポリエチレン、ポリプロピレン、ポリビニルアルコール、ポリビニルアセテートよりなる群の少なくとも１つを含む熱軟化性樹脂フイルムであることを特徴とする蚊取線香用着火カバー。
【請求項３】
開口を絞り込むことにより弾性を備えたことを特徴とする請求項２に記載の蚊取線香用着火カバー。
【発明の詳細な説明】
【０００１】
【産業上の利用分野】
本発明は、蚊取線香を容易に着火させることができる蚊取線香用着火カバーに関する。
【０００２】
【従来の技術】
従来、蚊取線香を使用する場合、マッチやライタ等で蚊取線香の先端を着火させるが、火着が悪く困惑することが多い。特に屋外等で風の影響を受けるときは、ライタ等を使用しても着火が困難であるという問題があった。そこで、蚊取線香の着火性をよくするために、実開昭５４−７８７８２号公報において蚊取線香の先端にマッチと同様な火薬を装着する方法が開示されている。また、実開昭５５−９６１０１号公報において火薬の原料となる塩素酸カリウムや硝酸カリウム等の酸素供給化合物を蚊取線香の先端に装着又は含浸させる方法が開示されている。
【０００３】
【発明が解決しようとする課題】
しかしながら、実開昭５４−７８７８２号公報に開示された蚊取線香の先端にマッチと同様な火薬を装着する方法で蚊取線香を製造する場合、火薬取締法に基づいて製造販売許可を得る必要がある。
また、実開昭５５−９６１０１号公報に開示された火薬の原料となる塩素酸カリウムや硝酸カリウム等の酸素供給化合物を装着又は含浸させる方法で蚊取線香を製造する場合、製造工程上、極めて手数のかかる工程を必要とするためコストが高くなるという問題がある。
【０００４】
本発明は上記事情に鑑みて成されたもので、火薬等を使用することなく蚊取線香の着火性を向上させ、さらに、容易に製造することができる蚊取線香用着火カバーを提供することを目的とする。
【０００５】
【課題を解決するための手段】
上記目的を達成するために、本発明は、蚊取線香の先端に被着するようにした蚊取線香用着火カバーである。
【０００６】
そして、前記蚊取線香用着火カバーが、易燃性及び熱収縮性を有するフイルムで筒状に形成されると共に一周壁にスリットが形成されており、前記フイルムが、ポリエチレン、ポリプロピレン、ポリビニルアルコール、ポリビニルアセテートよりなる群の少なくとも１つを含む熱軟化性樹脂フイルムである。
【０００７】
また、前記蚊取線香用着火カバーが、易燃性及び熱収縮性を有するフイルムで断面が略コ字形に形成されており、前記フイルムが、ポリエチレン、ポリプロピレン、ポリビニルアルコール、ポリビニルアセテートよりなる群の少なくとも１つを含む熱軟化性樹脂フイルムである。好ましくは、開口を絞り込むことにより弾性を備える。
【０００８】
【作用】
本発明によれば、易燃性と熱収縮性の両方の性質を備えたフイルムで蚊取線香の先端に被着により取り付けられる蚊取線香用着火カバーを形成した。従って、蚊取線香の先端に取り付けた蚊取線香用着火カバーをマッチやライタ等で容易に着火させることができる。この蚊取線香用着火カバーは着火することにより熱収縮するので蚊取線香の先端に確実に固定される。これにより、風があっても着火し易くなり、また着火された蚊取線香用着火カバーが蚊取線香の先端から落下することを防止できる。従って、着火された蚊取線香用着火カバーの火で蚊取線香の先端が極めて効率良く着火する。
【００１０】
そして、本発明によれば、蚊取線香用着火カバーを筒形に形成し、この筒形に形成した蚊取線香用着火カバーの周壁にスリットを形成した。従って、蚊取線香用着火カバーをスリットで広げることができるので蚊取線香用着火カバーを容易に蚊取線香の先端に取り付けることができる。
【００１１】
また、本発明によれば、蚊取線香用着火カバーを断面略コ字形に形成した。従って、蚊取線香の断面形状が異なる場合でも蚊取線香の先端に容易に取り付けることができる。さらに、本発明によれば、蚊取線香用着火カバーの開口を絞り込み、蚊取線香用着火カバー自体に弾性力を備えるようにした。従って、蚊取線香用着火カバーが蚊取線香を確実に把持できる。
【００１２】
【実施例】
以下、本発明による蚊取線香用着火カバーの一実施例を図を参照して説明する。図１に示すように、蚊取線香１０は螺旋状に形成され、その先端１０ａがマッチやライタ等で着火される。本発明に係る第１実施例の蚊取線香用着火カバー１２は、易燃性と熱収縮性の両方の性質を備えたフイルムで角筒形に形成され、その断面形状が蚊取線香１０に挿入可能に形成されている。そして、蚊取線香用着火カバー１２は、先端１２ａが閉塞されると共に基端１２ｂが開口されて袋状に形成されている。
【００１３】
また、易燃性と熱収縮性の両方の性質を備えたフイルムとしては、ポリエチレン、ポリプロピレン等のポリオレフィン類やポリビニルアルコール、ポリビニルアセテート等のポリビニル化合物類等の熱軟化性樹脂フイルムが使用され、又は、熱軟化性樹脂フイルムと紙パルプ類とが混合されたフイルムが使用され、さらに、各種の熱硬化性樹脂が混在されたフイルム等が使用される。
【００１４】
次に前記のように構成された本発明による蚊取線香用着火カバーの作用を説明する。先ず、蚊取線香用着火カバー１２の基端１２ｂを蚊取線香１０の先端１０ａに合わせて、蚊取線香用着火カバー１２を蚊取線香１０の先端１０ａに被せる。この場合、蚊取線香用着火カバー１２は先端１２ａが閉塞されて袋状に形成されているので、蚊取線香用着火カバー１２の先端１２ａが蚊取線香１０の先端１０ａに当接するまで蚊取線香用着火カバー１２を押し込む。これにより、蚊取線香用着火カバー１２を蚊取線香１０の先端１０ａに容易に被せることができる（図２参照）。
【００１５】
また、蚊取線香用着火カバー１２の先端１２ａが蚊取線香１０の先端１０ａに当接するまで蚊取線香用着火カバー１２を押し込むことにより、蚊取線香用着火カバー１２を蚊取線香１０の先端１０ａに確実に取り付けることができる。従って、蚊取線香１０の先端１０ａに取り付けられた蚊取線香用着火カバー１２は蚊取線香１０の先端１０ａから落下しない。
【００１６】
そして、蚊取線香１０の先端１０ａに取り付けられた蚊取線香用着火カバー１２は、易燃性と熱収縮性の両方の性質を備えたフイルムで形成されているので、マッチやライタ等で蚊取線香用着火カバー１２を風があっても容易に着火させることができる。この場合、蚊取線香用着火カバー１２は着火することにより熱収縮して蚊取線香１０の先端１０ａに確実に固定される。これにより、蚊取線香用着火カバー１２が蚊取線香１０の先端１０ａから落下することを防止すると共に、着火された蚊取線香用着火カバー１２の火で蚊取線香１０の先端１０ａが容易に着火される。
【００１７】
前記第１実施例では蚊取線香用着火カバー１２の先端１２ａを閉塞して袋状に形成した場合について説明したが、これに限らず、図３に示す第２実施例のように、蚊取線香用着火カバー１４を角筒形に形成し、その両端を開口してトンネル状に形成してもよい。これにより、蚊取線香用着火カバー１４の形状が簡素化されるので容易に製造することができるとともにコスト低減を図ることができる。
【００１８】
前記第２実施例では蚊取線香用着火カバー１４を角筒形に形成し、その両端を開口してトンネル状に形成した場合について説明したが、これに限らず、図４に示す第３実施例のように、蚊取線香用着火カバー１６を角筒形に形成し、筒形に形成した蚊取線香用着火カバー１６の左側の周壁にスリット１６ａを形成してもよい。これにより、蚊取線香用着火カバー１６を蚊取線香１０の先端１０ａに取り付ける場合、蚊取線香用着火カバー１６がスリット１６ａで広げられるので蚊取線香用着火カバー１６を容易に蚊取線香１０の先端１０ａに取り付けることができる。
【００１９】
また、図４に示す第３実施例ではスリット１６ａを左側の周壁に形成した場合について説明したが、これに限らず、その他の周壁にスリット１６ａを形成しても同様の効果を奏することができる。
前記第１、第２、第３実施例では、それぞれ角筒形の蚊取線香用着火カバー１２、１４、１６について説明したが、これに限らず、それぞれの蚊取線香用着火カバー１２、１４、１６を例えば円筒形に形成しても同様な効果を得ることができる。
【００２０】
前記第３の実施例では蚊取線香用着火カバー１６の周壁にスリット１６ａを形成した場合について説明したが、これに限らず、図５に示す第４実施例のように、蚊取線香用着火カバー１８を断面略コ字形に形成してもよい。この場合、蚊取線香用着火カバー１８は角筒形に形成された筒体から左側の周壁が除去された形状になる。これにより、蚊取線香１０の断面形状が異なる場合でも蚊取線香１０の先端１０ａに容易に取り付けることができる。
【００２１】
また、図５に示す第４実施例では筒体の左側の周壁を除去して蚊取線香用着火カバー１８を形成した場合について説明したが、これに限らず、その他の周壁を除去して断面略コ字形の蚊取線香用着火カバー１８を形成しても同様の効果を奏することができる。
さらに、図５に示す第４実施例では蚊取線香用着火カバー１８を断面略コ字形に形成した場合について説明したが、これに限らず、蚊取線香用着火カバー１８を断面略Ｃ字形等に形成しても同様の効果を得ることができる。
【００２２】
なお、図５に示す第４実施例において、蚊取線香用着火カバーが蚊取線香を確実に把持できるように蚊取線香用着火カバーの開口を絞り込み、蚊取線香用着火カバー自体に弾性力を備えるようにしても良い。
また、図６に示すように、複数の蚊取線香用着火カバーから成る着火カバー集合体２０を形成し、使用時に各蚊取線香用着火カバーをそれぞれ分離するようにしても良い。
【００２３】
以上説明した各実施例では、それぞれ蚊取線香先端を包囲する形状の蚊取線香用着火カバーについて説明した。しかし、これらに限らず、図７に示す第５実施例のように、上記性質を備えた平状フィルム２２を、その一方に形成された接着面を介して蚊取線香１０の先端面に接着するようにしても良い。平状フィルム２２を蚊取線香１０に接着させることにより、蚊取線香１０の着火性をより向上させることができる。
【００２４】
なお、本発明が適用される蚊取線香は螺旋形状に限定されるものではなく線形状等に適用可能であることは勿論である。
【００２５】
【効果】
以上の説明から明らかなように、本発明による蚊取線香用着火カバーによれば、蚊取線香の先端に取り付けられた蚊取線香用着火カバーをマッチやライタ等で容易に着火させることができる。この蚊取線香用着火カバーは着火することにより熱収縮するので蚊取線香の先端に確実に固定される。これにより、着火された蚊取線香用着火カバーが蚊取線香の先端から落下することを防止できる。従って、蚊取線香用着火カバーの火で蚊取線香の先端を風があっても容易に着火させることができ、且つ安全性に優れた蚊取線香用着火カバーを提供することができる。
【００２６】
また、蚊取線香用着火カバーには、火薬等を使用していないので火薬取締法による製造販売許可を得る必要がない。さらに、蚊取線香用着火カバーは、易燃性と熱収縮性の両方の性質を備えた部材から蚊取線香の先端に被覆可能に形成するだけで製品化されるので製造時に手数のかかる工程を必要としない。
【００２７】
さらに、本発明によれば、蚊取線香用着火カバーを両端が開口されたトンネル状の筒形に形成した。従って、蚊取線香用着火カバーの形状が簡素化されるのでコスト低減を図ることができる。
そして、本発明によれば、蚊取線香用着火カバーの周壁にスリットを形成した。従って、蚊取線香用着火カバーを蚊取線香の先端に取り付ける場合、蚊取線香用着火カバーがスリットで広げられるので蚊取線香用着火カバーを容易に蚊取線香の先端に取り付けることができる。これにより、蚊取線香用着火カバーの使い勝手が向上する。
【００２８】
また、本発明によれば、蚊取線香用着火カバーを断面略コ字形に形成した。従って、蚊取線香の断面形状が異なる場合でも先端に容易に取り付けることができる。これにより、多種の蚊取線香に適用することができる。そして、蚊取線香用着火カバーの開口を絞り込み、蚊取線香用着火カバー自体に弾性力を備えるようにした。従って、蚊取線香用着火カバーが蚊取線香を確実に把持できる。
【図面の簡単な説明】
【図１】本発明による蚊取線香用着火カバーの第１実施例を蚊取線香の先端に取り付ける状態を説明した斜視図。
【図２】本発明による蚊取線香用着火カバーの第１実施例を蚊取線香の先端に取り付けた状態を示した斜視図。
【図３】本発明による蚊取線香用着火カバーの第２実施例を示した斜視図。
【図４】本発明による蚊取線香用着火カバーの第３実施例を示した斜視図。
【図５】本発明による蚊取線香用着火カバーの第４実施例を示した斜視図。
【図６】複数の蚊取線香用着火カバーから成る集合体を示した斜視図。
【図７】本発明による蚊取線香用着火カバーの第５実施例を示した斜視図。
【符号の説明】
１０  蚊取線香
１０ａ  先端
１２、１４、１６、１８  蚊取線香用着火カバー
２０  着火カバー集合体
２２  平状フィルム
【図１】
0003784851.tif 000002
【図２】
0003784851.tif 000003
【図３】
0003784851.tif 000004
【図４】
0003784851.tif 000005
【図５】
0003784851.tif 000006
【図６】
0003784851.tif 000007
【図７】
0003784851.tif 000008